(57)【要約】【課題】  錠装置の操作位置をシャッターカーテンの見付け方向一側寄りと他側寄りに簡単な作業で変えることができると共に、防犯性の高いシャッターとする。【解決手段】  シャッターカーテン１の座板１０（下部）に錠本体２を取付け、シャッター枠３の下枠１４（下部）に錠受４を取付ける。前記錠本体２は、本体６とラッチ７と操作部材８を備え、この操作部材８を操作することでラッチ６が係合姿勢から離脱姿勢への回動を許容したり、規制するようにし、この操作部材８は本体６よりも見付け方向一側方に突出する第１の向きと、他側方に突出する第２の向きに取付けできることで操作位置を変え、前記錠受４と本体６とラッチ７はシャッターカーテン１の見付け方向略中央に位置することで防犯性を高くする。【選択図】  図７
2005105762.tif 000002
【特許請求の範囲】
【請求項１】
シャッターカーテンの下部に錠本体を取付け、シャッター枠の下部に錠受を取付け、この錠受と前記錠本体で錠装置としたシャッターにおいて、
前記錠本体は、本体とラッチと操作部材を備え、そのラッチは前記錠受に係合する係合姿勢と離脱する離脱姿勢に回動自在で、
前記操作部材は、錠装置を、係合姿勢のラッチが離脱姿勢に回動することを規制する施錠状態と、係合姿勢のラッチが離脱姿勢に回動することを許容する解錠状態に切換え操作できる形状で、
前記錠受と本体とラッチは、シャッターカーテンの見付け方向略中央にそれぞれ位置し、
前記操作部材は、本体よりも見付け方向一側方に突出した第１の向きと、本体よりも見付け方向他側方に突出した第２の向きのいずれかに選択的に取付けできることを特徴とするシャッター。
【請求項２】
錠本体は、その本体に規制部材が第１位置と第２位置に亘って移動自在に設けてあり、
この規制部材が第１位置の時には、ラッチが係合姿勢と離脱姿勢とに亘って回動することを許容し、第２位置の時には係合姿勢のラッチが離脱姿勢に回動することを規制し、
前記規制部材の見付け方向の一側部に操作部材を第１の向きで取付けできると共に、この規制部材の見付け方向の他側部に前記操作部材を第２の向きで取付けできるようにした請求項１記載のシャッター。
【請求項３】
規制部材は、見付け方向の一側部に一側取付部、見付け方向の他側部に他側取付部、前記一側取付部と他側取付部の間に規制部を有すると共に、この規制部材は本体に、見付け方向に向けて移動自在に取付けてあり、
操作部材は、見付け方向の一側部に操作つまみ部を有し、見付け方向他側部に連結部を有し、
この連結部が、前記規制部材の一側取付部にビスで第１の向きで取付けられ、かつ前記規制部材の他側取付部にビスで第２の向きで取付けられ、
前記規制部材が第１位置の時には、その規制部とラッチが離れてラッチが係合姿勢と離脱姿勢に回動自在で、第２位置の時には、その規制部とラッチが干渉して係合姿勢のラッチが離脱姿勢に回動することを規制するようにした請求項２記載のシャッター。
【請求項４】
ラッチが離脱姿勢で、規制部材が第２位置の場合には、ラッチと規制部材の規制部が見付け方向に相対向し、
前述の状態からラッチが係合姿勢に回動すると、そのラッチによって規制部材が第１位置に移動するようにした請求項３記載のシャッター。
【請求項５】
操作部材は、その操作方向を表示する表示部を有し、
この表示部は、操作部材を第１の向きで取付けた場合に目視確認できる第１表示部と、操作部材を第２の向きで取付けた場合に目視確認できる第２表示部を備えている請求項１又は２又は３又は４記載のシャッター。
【発明の詳細な説明】
【技術分野】
【０００１】
本発明は、シャッターカーテンを閉塞状態で施錠、解錠する錠装置を備え、スライディングサッシの室外側部に取付けられるシャッターに関する。
【背景技術】
【０００２】
特許文献１に開示されたシャッターが知られている。
このシャッターは、シャッターカーテンの最下部（端板部）に錠本体（ロック機構）を取付け、シャッター枠の下枠にロック受部を取付け、シャッターカーテンを閉塞状態とすると、錠本体のロック片がロック受部の受ピンに係合して施錠（ロック）し、操作レバーを操作することでロック片が受ピンから離脱して解錠（ロック解除）する構成で、シャッターカーテンを閉塞状態で施錠・解錠できる。
【０００３】
前述のシャッターは、サッシ枠に障子を左右にスライド自在に装着した引き違いサッシの室外側部に取付けられ、その引き違いサッシの障子を左右にスライドしてサッシ枠の右左の半分を開放した状態で、前述の操作レバーを操作する。
一方、前述した引き違いサッシにおいては、その障子を左にスライドしてサッシ枠の右半分を開放するか、右にスライドしてサッシ枠の左半分を開放するかは室内の家具の配置等によって決定されることがある。
このために、前述のシャッターにおいては錠装置を、障子を左にスライドしてサッシ枠の右半分を開放した場合でも、右にスライドしてサッシ枠の左半分を開放した場合でも障子が邪魔にならずに施錠・解錠できることが要求される。
そこで、前述した従来のシャッターにおいては、錠本体を端板部に沿って左右方向（シャッターカーテンの見付け方向）に移動して任意の位置で固定できる形状としている。
そして障子を左にスライドしてサッシ枠の右半分を開放する場合には錠本体をサッシ枠の右寄りに移動して固定することで、サッシ枠の右半分から操作レバーを操作できるようにし、障子を右にスライドしてサッシ枠の左半分を開放する場合には錠本体をサッシ枠の左寄りに移動して固定することで、サッシ枠の左半分から操作レバーを操作できるようにしている。
【０００４】
【特許文献１】特開平９−３１７３６０号公報
【発明の開示】
【発明が解決しようとする課題】
【０００５】
前述のシャッターにおいては、障子を左、右にスライドして開放しても障子が邪魔にならずに施錠・解錠できるようにするために、その錠本体を端板部に沿って左右方向に移動して固定しなくてはいけない為、その作業が面倒である。
また、前述の錠本体の移動に伴って、その錠本体のロック片がロック受部の受ピンと係合することができる様に配置して、錠本体とロック受部の取り付け位置を合わせながら、それぞれ端板部、下枠に取付ける必要がある為、その作業も面倒である。
これらが相俟って、錠装置の操作位置を左右に変える作業が面倒である。
【０００６】
また、錠本体とロック受部（つまり、錠装置）がシャッターカーテンの左右方向（見付け方向）中央部よりも右寄り又は左寄りにずれた位置に取付けられるので、施錠状態において、その錠装置のずれと反対側の左寄り又は右寄りを室外側から持ち上げると、端板部が撓み、その撓んだ部分で端板部と下枠との間に隙間が生じる。
つまり、錠装置による施錠位置がシャッターカーテンの見付け方向中央部ではなく、右寄り又は左寄りにずれるので、施錠位置から左右端部におけるずれた側の端部までの一方の距離が短かく、施錠位置から左右端部におけるずれた側と反対側の端部までの他方の距離が長いので、端板部におけるその距離の長い方を持ち上げると、その端板部が、短かい方を持ち上げた場合よりも大きく撓み、その撓んだ部分で端板部と下枠との間に隙間が生じる。
【０００７】
従って、室外側からその隙間にバール等の工具を差し込んでシャッターカーテンを破損させたり、無理やりこじ開けたりすることが可能で、防犯上問題となる。
【０００８】
本発明は、前述の課題に鑑みなされたものであって、その目的は、錠装置の操作位置を簡単な作業でシャッターカーテンの見付け方向一側寄り、他側寄りに変えることができると共に、防犯性が高いシャッターを提供することである。
【課題を解決するための手段】
【０００９】
第１の発明は、シャッターカーテンの下部に錠本体を取付け、シャッター枠の下部に錠受を取付け、この錠受と前記錠本体で錠装置としたシャッターにおいて、
前記錠本体は、本体とラッチと操作部材を備え、そのラッチは前記錠受に係合する係合姿勢と離脱する離脱姿勢に回動自在で、
前記操作部材は、錠装置を、係合姿勢のラッチが離脱姿勢に回動することを規制する施錠状態と、係合姿勢のラッチが離脱姿勢に回動することを許容する解錠状態に切換え操作できる形状で、
前記錠受と本体とラッチは、シャッターカーテンの見付け方向略中央にそれぞれ位置し、
前記操作部材は、本体よりも見付け方向一側方に突出した第１の向きと、本体よりも見付け方向他側方に突出した第２の向きのいずれかに選択的に取付けできることを特徴とするシャッターである。
【００１０】
第２の発明は、第１の発明において錠本体は、その本体に規制部材が第１位置と第２位置に亘って移動自在に設けてあり、
この規制部材が第１位置の時には、ラッチが係合姿勢と離脱姿勢とに亘って回動することを許容し、第２位置の時には係合姿勢のラッチが離脱姿勢に回動することを規制し、
前記規制部材の見付け方向の一側部に操作部材を第１の向きで取付けできると共に、この規制部材の見付け方向の他側部に前記操作部材を第２の向きで取付けできるようにしたシャッターである。
【００１１】
第３の発明は、第２の発明において規制部材は、見付け方向の一側部に一側取付部、見付け方向の他側部に他側取付部、前記一側取付部と他側取付部の間に規制部を有すると共に、この規制部材は本体に、見付け方向に向けて移動自在に取付けてあり、
操作部材は、見付け方向の一側部に操作つまみ部を有し、見付け方向他側部に連結部を有し、
この連結部が、前記規制部材の一側取付部にビスで第１の向きで取付けられ、かつ前記規制部材の他側取付部にビスで第２の向きで取付けられ、
前記規制部材が第１位置の時には、その規制部とラッチが離れてラッチが係合姿勢と離脱姿勢に回動自在で、第２位置の時には、その規制部とラッチが干渉して係合姿勢のラッチが離脱姿勢に回動することを規制するようにしたシャッターである。
【００１２】
第４の発明は、第３の発明においてラッチが離脱姿勢で、規制部材が第２位置の場合には、ラッチと規制部材の規制部が見付け方向に相対向し、
前述の状態からラッチが係合姿勢に回動すると、そのラッチによって規制部材が第１位置に移動するようにしたシャッターである。
【００１３】
第５の発明は、第１又は第２又は第３又は第４の発明において、操作部材は、その操作方向を表示する表示部を有し、
この表示部は、操作部材を第１の向きで取付けた場合に目視確認できる第１表示部と、操作部材を第２の向きで取付けた場合に目視確認できる第２表示部を備えているのシャッターである。
【発明の効果】
【００１４】
請求項１に係る発明によれば、シャッターカーテンを全閉し、操作部材を操作することで錠装置を施錠状態とすれば、シャッターカーテンを上昇してもラッチが離脱姿勢に回動しないので、シャッターカーテンを全閉状態で施錠できる。
また、前述の状態で操作部材を操作して錠装置を解錠状態としてシャッターカーテンを上昇するとラッチが離脱姿勢に回動するから、シャッターカーテンを開放できる。
【００１５】
また、錠本体の本体はシャッターカーテンの見付け方向略中央に位置しているので、操作部材を第１の向きで取付ければ、錠装置を見付け方向一側方から操作できるし、操作部材を第２の向きで取付ければ、錠装置を見付け方向他側方から操作できる。
よって、錠装置の操作位置を、その操作部材を第１の向き、第２の向きとして取付けるだけの簡単な作業でシャッターカーテンの見付け方向一側寄り、他側寄りに変えることができる。
【００１６】
また、錠受とラッチがシャッターカーテンの見付け方向略中央に位置しているから、シャッターカーテンの下部における見付け方向略中央位置とシャッター枠の下部における見付け方向略中央位置を施錠するので、防犯性が高い。
【００１７】
請求項２に係る発明によれば、規制部材の見付け方向の一側部、他側部に操作部材を第１の向き、第２の向きとして取付ければ良いので、操作部材の取付け作業が簡単である。
【００１８】
請求項３に係る発明によれば、操作部材の連結部を規制部材の一側取付部、他側取付部にビスで取付けることで、操作部材の向きを変えることができ、その作業が容易である。
【００１９】
請求項４に係る発明によれば、シャッターカーテンが開放状態の時に、操作部材を誤操作して規制部材を第２位置としたままでシャッターカーテンを全閉した場合に、ラッチが係合姿勢に回動すると共に、規制部材が第１位置に移動する。
よって、ラッチや規制部材などを破損することがない。
【００２０】
請求項５に係る発明によれば、操作部材を第１の向きで取付けた場合の操作方向を第１表示部で知ることができ、第２の向きで取付けた場合の操作方向を第２表示部で知ることができる。
よって、操作部材を誤操作することがなく、錠装置を正しく施錠、解錠できる。
【発明を実施するための最良の形態】
【００２１】
図１に示すように、シャッターカーテン１の下部に錠本体２が取付けられ、シャッター枠３の下部に錠受４が取付けてある。この錠受４と錠本体２でシャッターカーテン１を閉塞状態で施錠、解錠する錠装置５を形成している。
前記錠本体２は、本体６とラッチ７と操作部材８を備え、その本体６がシャッターカーテン１の下部に取付けられ、シャッターカーテン１を全閉状態とすることで、そのラッチ７が錠受４に係合し、開放状態とすることで、そのラッチ７が錠受４から離脱する。
つまり、前記ラッチ７は、錠受４に係合する係合姿勢と離脱する離脱姿勢に回動自在である。
前記操作部材８は、錠装置５を施錠状態、解錠状態に切換え操作できる形状である。
前述の施錠状態とは、係合姿勢のラッチ７が離脱姿勢に回動することを規制する状態である。
前述の解錠状態とは、係合姿勢のラッチ７が離脱姿勢に回動することを許容する状態である。
【００２２】
このようであるから、シャッターカーテン１を全閉してラッチ７を錠受４に係合し、操作部材８を操作して錠装置５を施錠状態とすれば、シャッターカーテン１を上昇して開放できない。
前述の状態から操作部材８を操作して錠装置５を解錠状態とし、シャッターカーテン１を上昇するとラッチ７が錠受４から離脱するから、シャッターカーテン１を開放できる。
【００２３】
前記錠本体２の本体６、ラッチ７と前記錠受４は、シャッターカーテン１の見付け方向（左右方向）略中央に位置している。なお、見付け方向略中央とは、見付け方向中央でも良いし、見付け方向中央から若干（数ｃｍ程度）ずれても良いことである。
例えば、錠本体２の本体６がシャッターカーテン１の下部における見付け方向略中央位置に取付けられ、この本体６の見付け方向略中央位置にラッチ７が設けられている。
前記錠受４はシャッター枠３の下部における見付け方向略中央位置に取付けてある。
【００２４】
前記操作部材８は図１に実線で示すように、錠本体２の本体６よりもシャッターカーテン１の見付け方向一側方（左方）に突出した第１の向きと、図１に仮想線で示すように、錠本体２の本体６よりもシャッターカーテン１の見付け方向他側方（右方）に突出した第２の向きのいずれかに選択的に取付けできる。
【００２５】
このようであるから、錠本体２の本体６をシャッターカーテン１に取付けたままで、操作部材８を第１の向きとして取付ければ、操作部材８をシャッターカーテン１の見付け方向一側寄りから操作でき、操作部材８を第２の向きとして取付ければ、操作部材８をシャッターカーテン１の見付け方向他側寄りから操作できる。
よって、錠装置５の操作位置を簡単な作業でシャッターカーテン１の見付け方向一側寄り、他側寄りに変えることができる。
【００２６】
また、錠本体２の本体６、ラッチ７と錠受４がシャッターカーテン１の見付け方向略中央に位置しているから、シャッターカーテン１の下部におけるシャッターカーテン１の見付け方向略中央がシャッター枠３の下部に施錠される。
よって、シャッターカーテン１を持ち上げても、その下部とシャッター枠１の下部との間に大きな隙間が生じることがなく、室外側からバール等の工具を用いてシャッターカーテン１を破損させたり、無理にこじ開けたりすることが大変困難で、防犯性が高い。
【００２７】
次に、各部材の具体例を説明する。
前記シャッターカーテン１は、図１に示すように、複数のスラット９を連結し、その最下部のスラット９に座板１０を連結してある。その座板１０がシャッターカーテン１の下部で、図２に示すように、この座板１０に錠本体２の本体６が取付けてある。
前記シャッター枠３は、図１に示すように、左右の縦枠１１を上枠１２、中間枠１３、下枠１４で連結したもので、その上枠１２と中間枠１３の間がシャッターケース１５で、かつ巻取り軸１６が回転自在に取付けてある。この巻取り軸１６に最上部のスラット９が連結され、その巻取り軸１６を正逆回転してシャッターカーテン１を巻取り・繰り出して開閉する。
前記下枠１４がシャッター枠３の下部で、図２に示すように、この下枠１４に錠受４が取付けてある。
【００２８】
前記シャッター枠３は、サッシ枠を兼用し、中間枠１３と下枠１４と左右の縦枠１１に内外障子がスライド自在に装着され、その内外障子を閉じた状態の召合せ部がシャッターカーテン１の見付け方向中央に位置する。
そして、外障子を右方にスライドしてサッシ枠の左半分を開放した場合に、図１に実線で示すように取付けた操作部材８をサッシ枠の左半分から操作でき、内障子を左方にスライドしてサッシ枠の右半分を開放した場合に、図１に仮想線で示すように取付けた操作部材８をサッシ枠の右半分から操作できる。
なお、サッシ枠とシャッター枠を別体としても良い。
【００２９】
前記錠装置５を図２〜図８に基づいて説明する。
錠本体５の本体６はベース６ａとカバー６ｂより成る。
前記ベース６ａにラッチ７が図６と図７に示す係合姿勢と図５に示す離脱姿勢とに亘って回動自在に取付けてあると共に、規制部材２０が移動自在に設けてある。
この規制部材２０は、図５、図６に示すようにラッチ７が係合姿勢と離脱姿勢とに亘って回動することを許容する第１位置と、図７に示すように係合姿勢のラッチ７が離脱姿勢に回動することを規制する第２位置に亘って移動自在、好ましくは見付け方向に移動自在である。
この規制部材２０は、図４に示すように、その見付け方向の一側部に一側取付部２０ａ、他側部に他側取付部２０ｂを有する。
前記操作部材８は、見付け方向の一側部に操作つまみ部８ａを有し、見付け方向の他側部に連結部８ｂを有する。
この連結部８ｂが前記規制部材２０の一側取付部２０ａ、他側取付部２０ｂに連結できる。
【００３０】
そして、連結部８ｂを一側取付部２０ａに連結すると図１の実線で示すように操作部材８がベース６ａよりも見付け方向一側方に突出した第１の向きとなり、その操作つまみ部８ａが一側寄りとなる。前記連結部８ｂを他側取付部２０ｂに連結すると図１の仮想線で示すように操作部材８がベース６ａよりも見付け方向他側方に突出した第２の向きとなり、その操作つまみ部８ａが他側寄りとなる。
【００３１】
このようであるから、操作部材８の連結部８ｂを規制部材２０の一側取付部２０ａ、他側取付部２０ｂの一方に連結することで操作部材８を第１の向き又は第２の向きとすることができ、その作業が容易である。
【００３２】
前記錠受４は、図２と図３に示すように、前記ラッチ７が係脱する錠受けピン２１を備えている。
このピン２１はブラケット、例えば上向きコ字状のブラケット２２に室内外側方向に向けて固着してある。このブラケット２２が下枠１４に固着してある。例えば、ビス２３で固着してある。
前記ブラケット２２にカバー２４が嵌め込むようにして取付けてあり、このカバー２４で錠受けピン２１、ブラケット２２が見えないようにしてある。
【００３３】
前記ベース６ａは、図４に示すように縦板３０と上横片３１と下横片３２と一側縦片３３と他側縦片３４でほぼ箱形状で、下横片３２に垂下板３５が一体的に設けてあり、その垂下板３５にピン挿入溝３６が下端面に開口して形成してある。
前記一側縦片３３には一側開口部３３ａが形成され、他側縦片３４に他側開口部３４ａが形成されている。
【００３４】
前記座板１０は図２、図３に示すように、本体１０ａの室内側面の下部に鉤片１０ｂを有する形状で、この鉤片１０ｂの上面と本体１０ａの室内側面の上部にベース６ａが接し、鉤片１０ｂからビス１７をベース６ａの下横片３２のビス孔３２ａに螺合して固着する。
前述のようにベース６ａを座板１０に取付けた後に、そのベース６ａにカバー６ｂを押し込むようにしてスナップ式に取付ける。
このようであるから、ベース６ａにカバー６ｂを簡単に取付けできるし、簡単に取り外しできる。なお、カバー６ｂはビス止めで固着しても良いし、カバー６ｂを用いなくとも良い。
【００３５】
前記ラッチ７は、下部にロック溝７ａを有すると共に、上部に突部７ｂを有し、このラッチ７は図３に示すように垂下板３５にピン３７で回動自在に取付けられ、そのロック溝７ａがピン挿入溝３６と合致するようにしてある。
このラッチ７の突部７ｂとベース６ａの上横片３１とに亘ってばね３８が取付けてあり、このばね３８でラッチ７は図３に示すように離脱姿勢に向けて上向けて回動付勢されて離脱姿勢で保持されている。
そして、前記シャッターカーテン１を下降することで、ラッチ７のピン挿入溝３６とロック溝７ａに錠受けピン２１が相対的に入り込み、ラッチ７がばね３８に抗して係合姿勢に向けて回動する。
【００３６】
前記操作部材８は、見付け方向に向けて長尺な縦板状のレバー４０を備え、このレバー４０の長手方向一端部に折曲片４１が設けられ、この折曲片４１につまみ４２が嵌合して取付けられて操作つまみ部８ａを形成する。
前記レバー４０の長手方向他端寄り部が前記ベース６ａの一側開口部３３ａ、他側開口部３４ａに挿通自在で、かつビス孔４３が形成されて前記連結部８ｂを形成している。
【００３７】
前記規制部材２０の見付け方向両端寄り部に透孔５１がそれぞれ形成されて前記一側取付部２０ａ、他側取付部２０ｂを形成し、その長手方向両端寄り部が前記ベース６ａの一側開口部３３ａ、他側開口部３４ａにそれぞれ挿通可能で、この規制部材２０が前述の第１位置であると、図３、図５、図６に示すように他側取付部２０ｂの大部分が他側開口部３４ａからベース６ａ外に突出し、かつ前述の第２位置であると、図７に示すように一側取付部２０ａの大部分が一側開口部３３ａからベース６ａ外に突出する。
そして、規制部材２０の一側取付部２０ａの透孔５１からビス５２を操作部材８のビス孔４３に螺合することで図３、図５、図６、図７に示すように規制部材２０の一側取付部２０ａに操作部材８の連結部８ｂが連結される。
また、規制部材２０の他側取付部２０ｂの透孔５１からビス５２を操作部材８のビス孔４３に螺合することで図８に示すように規制部材２０の他側取付部２０ｂに操作部材８の連結部８ｂが連結される。
このように、ベース６ａ（本体６）から突出した規制部材２０の一側取付部２０ａ、他側取付部２０ｂに操作部材８の連結部８ｂをビス止めして連結するので、その作業が容易である。
なお、規制部材２０の一側取付部２０ａ、他側取付部２０ｂはともにカバー６ｂで覆われる。
【００３８】
前記規制部材２０の一側取付部２０ａと他側取付部２０ｂの間（つまり、見付け方向中間）に規制部５３、例えば横向片が設けてあり、この規制部材２０が図５、図６に示すように第１位置の時にはラッチ７の突部７ｂと規制部５３が離れてラッチ７が係合姿勢、離脱姿勢に回動できる。
前記ラッチ７が係合姿勢で、規制部材２０が図７に示すように第２位置の時には、ラッチ７の突部７ｂが規制部５３に干渉（好ましくは、突部７ｂが規制部５３の下面に干渉）してラッチ７が離脱姿勢に回動しないようにする。つまり、錠装置５を施錠する。
【００３９】
また、ラッチ７が離脱姿勢で、規制部材２０が第２位置の時には、図５に仮想線で示すようにラッチ７の突部７ｂと規制部５３が見付け方向に相対向するので、この状態からラッチ７が係合姿勢に回動すると突部７ｂが規制部５３を押して規制部材２０を第１位置に移動する。
したがって、シャッターカーテン１が開放した状態で、操作部材８を誤操作して規制部材２０を第２位置とし、このままシャッターカーテン１を全閉した時に各部を破損することがない。
【００４０】
前記規制部材２０は、ばね力に抗して第１位置と第２位置に移動すると共に、そのばね力を利用して第１位置と第２位置に保持するようにしてある。
例えば、ベース６ａの縦板３０にリンク５４がピン５５で見付け方向に揺動自在に取付けてあり、このリンク５４の長手方向の長穴５４ａと縦板３０の見付け方向のガイド用長穴３０ａを挿通した回動用ピン５６を規制部材２０に加締め連結する。
前記リンク５４と規制部材２０とに亘ってばね５７を連結し、そのばね５７とリンク５４との連結部分が回動用ピン５６よりも下方に位置し、かつばね５７と規制部材２０との連結部分が回動用ピン５６よりも上方に位置するようにし、回動用ピン５６がガイド用長穴３０ａに沿って移動し、かつ前記ばね５７の最も伸びる点（つまり、死点）を越えて規制部材２０を第１位置と第２位置に移動するようにする。
【００４１】
このようにすることで、操作部材８を操作して規制部材２０を第１位置から第２位置に移動する場合及び第２位置から第１位置に移動する場合に、その移動初期にはばね５７のばね力によって操作力が大きく、移動終期にはばね５７のばね力で移動されて操作力が急激に小さくなるので、第１位置、第２位置に移動したことを操作者が感知できる。
また、ばね力で第１位置、第２位置に保持されるから、振動による誤動作を防ぐことができる。
【００４２】
前記操作部材８には、その操作方向を表示する表示部６０が設けてある。
この表示部６０は、図５と図８に示すように第１表示部６１と第２表示部６２を備え、第１表示部６１は操作部材８を第１の向きとして取付けた場合の操作方向を表示し、第２表示部６２は操作部材８を第２の向きとして取付けた場合の操作方向を表示する。
前記第１表示部６１は操作部材８を第１の向きで取付けた場合に目視確認でき、第２表示部６２は操作部材８を第２の向きで取付けた場合に目視確認できることが好ましい。
【００４３】
例えば、操作部材８を第１の向きで取付けた場合と第２の向きで取付けた場合では、その操作部材８が上下反転すると共に、見付け方向（左右方向）に反対向きとなるようにする。
前記第１表示部６１と第２表示部６２は、（とじる）、（ひらく）の文字と操作方向の文字（左側操作、右側操作）及び操作方向を示す矢印を備えている。そして、操作部材８を第１の向きで取付けた場合には、図５に示すように、第１表示部６１の文字が上下方向に正しい向きで、左右方向に正しい順序、つまり判読できる状態で、第２表示部６２の文字が上下方向に反対の向きで、左右方向に反対の順序、つまり判読できない状態である。
また、操作部材８を第２の向きで取付けた場合には、図８に示すように、第２表示部６２の文字が上下方向に正しい向きで、左右方向に正しい順序、つまり判読できる状態で、第１表示部６１の文字が上下方向に反対で、左右方向に反対の順序、つまり判読できない状態である。
【００４４】
このようにすることで、シャッターカーテン１を開閉する際に操作部材８を誤操作することがなく、錠装置５を正しく施錠、解錠できる。
【００４５】
次に、シャッターカーテン１を開閉する際の錠装置５の操作について説明する。
シャッターカーテン１が開放している時には、図５に示すように操作部材８を（ひらく）の方向に移動（操作）して規制部材２０を第１位置とする。
この状態でシャッターカーテン１を下降して全閉すると、図６に示すようにラッチ７のロック溝７ａが錠受けピン２１に係合した係合姿勢に回動する。
前述の状態で、操作部材８を（とじる）の方向に移動（操作）して規制部材２０を図７に示すように第２位置とする。
これにより、ラッチ７の突部７ｂが規制部５３に干渉し、ラッチ７が離脱姿勢に回動することを規制する。つまり、錠装置５を施錠状態とする。
【００４６】
前述の状態からシャッターカーテン１を開放する場合には、操作部材８を（ひらく）の方向に移動（操作）して規制部材２０を図６に示す第１位置とする。これによって、規制部５３がラッチ７の突部７ｂと離れ、ラッチ７は離脱姿勢に回動可能となる。
そして、シャッターカーテン１を上昇するとラッチ７が離脱姿勢に回動して図５に示すように錠受けピン２１から離脱、つまり錠装置５が解錠状態となる。
【００４７】
また、図５に示すように第１の向きで取付けてある操作部材８を図８に示すように第２の向きで取付けるには、まずカバー６ｂを取り外し、ビス５２を弛めて操作部材８の連結部８ｂを規制部材２０の一側取付部２０ａから取り外す。
前記取り外した操作部材８の連結部８ｂを図８に示すように規制部材２０の他側取付部２０ｂにビス５２で連結し、操作部材８を第２の向きとする。
この後にカバー６ｂを取付ける。
なお、図６と図７においては下枠１４を省略し、錠受４は錠受けピン２１のみを図示してある。
【００４８】
前述の実施の形態では規制部材２０を設けたが、この規制部材２０を設けずに操作部材８によってラッチ７が係合姿勢から離脱姿勢に回動することを規制するようにし、その操作部材８をベース６ａに第１・第２の向きで取付けできるようにしても良い。
例えば、操作部材８に前述の規制部５３に相当する部分を設け、この操作部材８をベース６ａに、その相当部分がラッチ７の突部７ｂと干渉する位置と離れる位置に移動自在又は揺動自在に取付け、その操作部材８を操作することで前述のように係合姿勢のラッチ７が離脱姿勢に回動することを規制したり、許容したりするように構成する。
【図面の簡単な説明】
【００４９】
【図１】シャッターの概略内観図である。
【図２】シャッターの錠装置取付け部分の詳細縦断面図である。
【図３】錠装置の取付状態の斜視図である。
【図４】錠本体の分解斜視図である。
【図５】シャッターカーテンを開放した場合の錠装置の動作説明図である。
【図６】シャッターカーテンを全閉した場合の錠装置の動作説明図である。
【図７】錠装置を施錠した状態の動作説明図である。
【図８】操作部材を見付け方向に反対向きに取付けた状態の錠装置部分の内観図である。
【符号の説明】
【００５０】
１…シャッターカーテン、２…錠本体、３…シャッター枠、４…錠受、５…錠装置、６…本体、７…ラッチ、７ｂ…突部、８…操作部材、８ａ…操作つまみ部、８ｂ…連結部、１０…座板（シャッターカーテンの下部）、１４…下枠（シャッター枠の下部）、２０…規制部材、２０ａ…一側取付部、２０ｂ…他側取付部、４３…ビス孔、５２…ビス、５３…規制部、６０…表示部、６１…第１表示部、６２…第２表示部。
【図１】
2005105762.tif 000003
【図２】
2005105762.tif 000004
【図３】
2005105762.tif 000005
【図４】
2005105762.tif 000006
【図５】
2005105762.tif 000007
【図６】
2005105762.tif 000008
【図７】
2005105762.tif 000009
【図８】
2005105762.tif 000010